(57)【要約】      （修正有）【課題】監視器で撮影した映像画面を、モニターで直接表示することで、表示モニターにより監視器の撮影状態を見た人に知らせることができる直立式監視撮影装置を提供する。【解決手段】少なくとも一つの柱体１と、少なくとも一つの第一セット部材２と、少なくとも一つの第二セット部材３とからなる。前記第一セット部材２及び第二セット部材３は、前記柱体上に設けられ、前記第一セット部材には、表示モニター２２が設けられ、前記第二セット部材上にはアーム３１が設けられ、前記アームには、監視器３２が設けられ、監視器は、伝送コードを介して柱体の通路を通り前記表示モニターに電気的に接続される。【選択図】図１
0003179350.tif 000002
【実用新案登録請求の範囲】
【請求項１】
少なくとも一つの柱体と、少なくとも一つの第一セット部材と、少なくとも一つの第二セット部材とからなる直立式監視撮影装置であって、
少なくとも一つの第一セット部材は、前記柱体上に設けられ、前記第一セット部材には、表示モニターが設けられ、
少なくとも一つの第二セット部材は、前記柱体上に設けられ、前記第二セット部材には、アームが設けられ、前記アームには、監視器が設けられることを特徴とする、直立式監視撮影装置。
【請求項２】
前記柱体の一端には支持台座が設けられ、前記柱体内には通路が設けられ、前記監視器は、伝送コードを介して、前記通路を通過し、前記表示モニターに電気的に接続され、
前記柱体における前記第一セット部材に対応する位置には、前記伝送コードを通すコード通し孔が設けられ、
前記柱体には、告知板が設けられ、前記第一セット部材には、前記表示モニターを固定するための固定部が設けられ、前記柱体上には、前記監視器を取り付けるための支持部材が設けられることを特徴とする、請求項１に記載の直立式監視撮影装置。
【請求項３】
前記第一セット部材と前記第二セット部材は、少なくとも一つのパッキン部材によって前記柱体上にきつく固定され、前記パッキン部材を回転させることによって前記第一セット部材と前記第二セット部材を前記柱体上にスライド移動させることができ、
前記アームは、第一アームと第二アームとからなり、前記第一アームの一端は、前記第二セット部材に取り付けられ、第一アームの他端は前記第二アームに取り付けられ、前記第二アームにおける前記第一アームとは反対の他端には固定台座が設けられ、前記固定台座には、前記監視器が固定されることを特徴とする、請求項１に記載の直立式監視撮影装置。
【考案の詳細な説明】
【技術分野】
【０００１】
本考案は監視撮影装置に関し、特に直立式に設けられ、撮影と同時に撮影画面を表示することができる直立式監視撮影装置に関する。
【背景技術】
【０００２】
電子監視器は、非合法の或いは突発的な事件の経過を記録できるだけでなく、不審者に、ここは電子監視器で録画されていることを知らせて警告する効果があり、それにより、不審者が犯罪行為に及ぶのを防ぐことができる。
【０００３】
従って、公共の場所、或いは、営業行為が営まれている場所への電子監視器の設置は相当普及している。しかしながら、電子監視器で録画した画面は、電子監視器で直接見ることができず、また、撮影した場所でも録画した画面を直接みることができず、その電子監視器の画面は、リモートで、映像信号は、コンピュータールーム或いは画面を表示できるモニターへと送られる。このため、電子監視器を設置したとしても、不審者に気付かれなかったり、その電子監視器はただ置いてあるだけで監視効果はないと思われたりしてしまう。
【０００４】
以上に記載した従来の技術は以下の欠点が存在する。
１、撮影した画面を直接見ることができない。      
２、映像信号をリモートで送る必要がある。
【考案の概要】
【考案が解決しようとする課題】
【０００５】
そこで、本考案は、監視器で撮影した映像画面を、モニターで直接表示することで、表示モニターにより監視器の撮影状態を見た人に知らせることができる直立式監視撮影装置を提供することを目的とする。
【課題を解決するための手段】
【０００６】
上述の目的を達成するために、本考案による直立式監視撮影装置は、少なくとも一つの柱体と、少なくとも一つの第一セット部材と、少なくとも一つの第二セット部材とからなる。前記第一セット部材及び第二セット部材は、前記柱体上に設けられ、前記第一セット部材には、表示モニターが設けられ、前記第二セット部材上にはアームが設けられ、前記アームには、監視器が設けられ、監視器は、伝送コードを介して柱体の通路を通り前記表示モニターに電気的に接続される。
【図面の簡単な説明】
【０００７】
【図１】本考案の直立式監視撮影装置の実施例１を示した斜視図である。
【図２】本考案の直立式監視撮影装置の実施例１を別の角度から示した斜視図である。
【図３】本考案の直立式監視撮影装置の実施例２を示した斜視図である。
【図４】本考案の直立式監視撮影装置の実施例３を示した斜視図１である。
【図４Ａ】本考案の直立式監視撮影装置の実施例３を示した斜視図２である。
【図５】本考案の直立式監視撮影装置の実施例４を示した斜視図である。
【考案を実施するための形態】
【０００８】
（実施例１）
上述の目的と効果を達成するために本考案が採用する技術と構造の特徴について、完全に理解できるよう、好ましい実施例と図をあわせて、以下に詳細な説明を行う。
【０００９】
図１と図２を参照する。図１は、本考案の直立式監視撮影装置の実施例１を示した斜視図であり、図２は、本考案の直立式監視撮影装置の実施例１を別の角度から示した斜視図である。図に示すように、本考案の直立式監視撮影装置は、少なくとも一つの柱体１と、少なくとも一つの第一セット部材２と、少なくとも一つの第二セット部材３とからなる。
【００１０】
第一セット部材２は、柱体１上に設けられ、第一セット部材２における柱体１とは反対側の端部は固定部２１を備え、固定部２１には、表示モニター２２が固定され、第一セット部材２は、少なくとも一つのパッキン部材２３を介して柱体１にきつく固定され、パッキン部材２３を回転させることで第一セット部材２を柱体１上でスライド移動させることができる。
【００１１】
第二セット部材３は、柱体１上に設けられ、第二セット部材３上には、アーム３１が設けられ、アーム３１には、監視器３２が設けられる。また、アーム３１は、第一アーム３１１と、第二アーム３１２とからなり、第一アーム３１１の一端は、第二セット部材３に取り付けられ、他端は第二アーム３１２に取り付けられる。第二アーム３１２における第一アーム３１１と反対側の端部には、固定台座３１３が設けられ、固定台座３１３には、監視器３２が固定され、第二セット部材３は、パッキン部材２３を介して柱体１にきつく固定され、パッキン部材２３を回転させることにより第二セット部材３を柱体１上にスライド移動させることができる。
【００１２】
その内、柱体１内には、通路１１が設けられるとともに、柱体１における第一セット部材２に対応する位置にはコード通し孔１２が設けられ、コード通し孔１２は通路１１に連通し、アーム３１に取り付けられた監視器３２は、伝送コード３２１を介して、通路１１を通り、コード通し孔１２から表示モニター２２に電気的に接続される。それにより、撮影された映像信号が表示モニター２２に送られる。柱体１の一端には、本考案を固定して設置しやすいようにするために、支持台座１３が設けられる。以上の構造により、監視器３２で撮影した時、同時に、撮影画面が相互直立式設置の表示モニター２２に表示され、使用者は表示モニター２２を通して監視器３２が撮影した状態を見ることができる。
【００１３】
（実施例２）
引き続き図３を参照する。図３は、本考案の直立式監視撮影装置の実施例２を示した斜視図である。この直立式監視撮影装置の一部の部材と部材間の相互の対応関係は実施例１と同じであるため、ここでは記載を省略する。実施例２の実施例１との主な違いは、柱体１に、告知板４を更に設けている点である。告知板４は、監視器３２で撮影している時に、撮影中の告知すべき関連文字を見せることができる。以上の構造により、監視器３２で撮影している時に、それと同時に、撮影画面を直立式に設けた表示モニター２２に表示することや、或いは、告知板４を介してその監視器３２の撮影状態を知らせることができる。
【００１４】
（実施例３）
図４と図４Ａを参照する。図４は、本考案の直立式監視撮影装置の実施例３を示した斜視図１であり、図４Ａは、本考案の直立式監視撮影装置の実施例３を示した斜視図２である。この直立式監視撮影装置の一部の部材と部材間の相互の対応関係は前記実施例と同じであり、柱体１ａには告知板４ａを設けており、その他の構造についてはここでは記載を省略する。実施例３の主な特徴は、第一セット部材２ａ及び第二セット部材３ａを複数設置しており、それにより、第一セット部材２ａに取り付けた表示モニター２２ａ及び第二セット部材３ａに取り付けた監視器３２ａにより、柱体１ａ上で複数表示を行うことができる。
【００１５】
（実施例４）
図５を参照する。図５は、本考案の直立式監視撮影装置の実施例４を示した斜視図である。実施例４では、柱体１ｂに、支持部材５ｂが設けられる。支持部材５ｂは、主に、監視器３２ｂを取り付けるために用いられる。
【００１６】
全ての図を参照する。本考案を使用すると、従来の技術と比べて、以下の利点が生じる。
１、   
撮影した画面を直接見ることができる。
２、直立式で設置することにより、映像信号をリモートで送るのを避けることができる。
【符号の説明】
【００１７】
１、１ａ、１ｂ    柱体
１１              通路
１２              コード通し孔
１３              支持台座
２、２ａ          第一セット部材
２１              固定部
２２、２２ａ      表示モニター
２３              パッキン部材
３、３ａ          第二セット部材
３１              アーム
３１１            第一アーム
３１２            第二アーム
３１３            固定台座
３２、３２ａ、３２ｂ    監視器
３２１            伝送コード
４、４ａ          告知板
５ｂ              支持部材
【図１】
0003179350.tif 000003
【図２】
0003179350.tif 000004
【図３】
0003179350.tif 000005
【図４】
0003179350.tif 000006
【図４Ａ】
0003179350.tif 000007
【図５】
0003179350.tif 000008